(57)【特許請求の範囲】
【請求項１】
トナーを含む現像剤が感光体に供給されるように構成された画像形成装置であって、
画像形成装置本体に上方から近接する近接姿勢と当該画像形成装置本体から上方に離間して当該画像形成装置本体をメンテナンス可能な状態にする離間姿勢との間で姿勢変更可能に設けられ、トナーを含む現像剤を上記感光体に供給する現像装置と、
上記画像形成装置本体に設けられ、搬送されるプリント用紙を案内する用紙ガイドと、
この用紙ガイドを、上記現像装置の側に突出する突出位置と上記現像装置の側から後退する後退位置との間で変位可能に支持する用紙ガイド支持手段と、
上記用紙ガイドを、当該用紙ガイドが上記突出位置に位置する突出姿勢に付勢する用紙ガイド付勢手段と、を備えることにより、上記現像装置が画像形成装置本体に近接する上記近接姿勢になることで、上記用紙ガイドが現像装置の下端に接触して上記後退位置に変位し、当該用紙ガイドによるプリント用紙の案内が可能な状態になる一方、上記現像装置が上記離間姿勢になることで、上記用紙ガイドが現像装置の下端から離れて上記突出姿勢に変位し、当該用紙ガイドが上記現像装置を弾性的に受け入れ可能な状態になるものであり、
上記用紙ガイドは、プリント用紙を案内する案内部材と、この案内部材の両端側に上記現像装置側に突出するように設けられ、上記現像装置の下端に接触して当該用紙ガイドを上記後退位置に変位させる一対の突出部とを備え、
上記用紙ガイド支持手段は、前記一対の突出部の間の上記案内部材の下方に設けられた棒状のガイドピンと、上記画像形成装置本体側に設けられ、このガイドピンを挿脱可能に支持するガイドピン受け孔とにより、上記用紙ガイドを上記突出位置と上記後退位置との間で変位可能に支持し、
上記用紙ガイド付勢手段は、上記案内部材の下方に設けられた付勢部材受け座と、上記画像形成装置本体側に設けられる付勢部材受け座との間に設けられた付勢部材により、用紙ガイドを突出姿勢に付勢するものであることを特徴とする画像形成装置。
【請求項２】
上記ガイドピンは、先端に画像形成装置本体の上記ガイドピン受け孔に設けられた係止部に係合する一対の抜け止め突起と、これら一対の抜け止め突起の近傍にガイドピンの長手方向に沿って設けられた長孔とを備え、
上記抜け止め突起は、ガイドピンの長孔が変形してガイドピンの先端が画像形成装置本体のガイドピン受け孔に挿脱可能になる縮径状態と、ガイドピン受け孔に設けられた係止部に係合可能になる拡径状態との間で外径変更可能に設けられていることを特徴とする請求項１に記載の画像形成装置。
【請求項３】
上記用紙ガイドは、導電性の材料で構成され、電気的に接地状態に保たれることにより、プリント用紙の案内にともなって発生する静電気をアースするものであることを特徴とする請求項１又は２に記載の画像形成装置。
【請求項４】
上記現像装置は、搬送されるプリント用紙を案内する上側用紙ガイドを下端に備え、
この上側用紙ガイドは、導電性の材料で構成され、現像装置が近接姿勢になった状態で上記用紙ガイドと電気的に接触することにより、上側用紙ガイドにおいてプリント用紙の案内にともなって発生する静電気を用紙ガイドを介してアースするものであることを特徴とする請求項３に記載の画像形成装置。
【請求項５】
上記用紙ガイドと、上側用紙ガイドとは導電性の樹脂で構成されていることを特徴とする請求項４に記載の画像形成装置。
【発明の詳細な説明】
【技術分野】
【０００１】
本発明は、トナーを含む現像剤が感光体に供給されるように構成された画像形成装置に関するものである。
【背景技術】
【０００２】
トナーを含む現像剤が感光体に供給されるように構成された画像形成装置は、一般に攪拌混合された現像剤を薄い層にして感光体に供給する現像装置を備えている。
【０００３】
このような画像形成装置では、現像装置において現像剤を交換する場合や、紙詰まりが発生した場合など、現像装置のユニットを画像形成装置本体から取り外す構成を採用することが多いが、元の状態に戻すために現像装置の装着を急いで行うとその衝撃で現像装置から現像剤が噴出する可能性があった。
【０００４】
また、現像の方式としてトナーのジャンピング現像を利用して現像装置から感光体上にトナーを飛ばす構成の場合には、現像装置のトナー薄層と感光体と一定の距離を保持する必要があるが、このように現像装置のユニットを画像形成装置本体に対して脱着する構成では、現像装置のトナー薄層と画像形成装置本体側の感光体との間の距離が不安定になり画像不良を引き起こす可能性があった。
【０００５】
そこで、現像装置と画像形成装置本体とに衝撃を与えることなく現像装置を画像形成装置本体に装着することができるように構成された画像形成装置が種々提案されている。
【０００６】
例えば、特許文献１には、現像器の底面に、操作部の回転により作動する押圧機構を配設することにより、現像器に衝撃を与えることなく本体フレームに装着することができるように構成された画像形成装置の技術が開示されている。
【特許文献１】特開２００５−７０３９７号公報
【発明の開示】
【発明が解決しようとする課題】
【０００７】
しかしながら、上述の特許文献１に開示された画像形成装置では、現像器の底面に配設された押圧機構を、操作部の回転により作動させる必要があるなど、装置が複雑になり、製造に係るコストを増大させるという問題があった。
【０００８】
本発明は上記不具合に鑑みてなされたものであり、現像装置と、画像形成装置本体との間の衝突の衝撃を緩和して現像剤を画像形成装置の中に飛散させたりすることを防ぐことができるとともに、搬送される紙の静電気を除去するための構造が簡単で製造に係るコストの少ない画像形成装置を提供することを課題としている。
【課題を解決するための手段】
【０００９】
上記課題を解決するための本発明は、トナーを含む現像剤が感光体に供給されるように構成された画像形成装置であって、画像形成装置本体に上方から近接する近接姿勢と当該画像形成装置本体から上方に離間して当該画像形成装置本体をメンテナンス可能な状態にする離間姿勢との間で姿勢変更可能に設けられ、トナーを含む現像剤を上記感光体に供給する現像装置と、上記画像形成装置本体に設けられ、搬送されるプリント用紙を案内する用紙ガイドと、この用紙ガイドを、上記現像装置の側に突出する突出位置と上記現像装置の側から後退する後退位置との間で変位可能に支持する用紙ガイド支持手段と、上記用紙ガイドを、当該用紙ガイドが上記突出位置に位置する突出姿勢に付勢する用紙ガイド付勢手段と、を備えることにより、上記現像装置が画像形成装置本体に近接する上記近接姿勢になることで、上記用紙ガイドが現像装置の下端に接触して上記後退位置に変位し、当該用紙ガイドによるプリント用紙の案内が可能な状態になる一方、上記現像装置が上記離間姿勢になることで、上記用紙ガイドが現像装置の下端から離れて上記突出姿勢に変位し、当該用紙ガイドが上記現像装置を弾性的に受け入れ可能な状態になるものであり、上記用紙ガイドは、プリント用紙を案内する案内部材と、この案内部材の両端側に上記現像装置側に突出するように設けられ、上記現像装置の下端に接触して当該用紙ガイドを上記後退位置に変位させる一対の突出部とを備え、上記用紙ガイド支持手段は、前記一対の突出部の間の上記案内部材の下方に設けられた棒状のガイドピンと、上記画像形成装置本体側に設けられ、このガイドピンを挿脱可能に支持するガイドピン受け孔とにより、上記用紙ガイドを上記突出位置と上記後退位置との間で変位可能に支持し、上記用紙ガイド付勢手段は、上記案内部材の下方に設けられた付勢部材受け座と、上記画像形成装置本体側に設けられる付勢部材受け座との間に設けられた付勢部材により、用紙ガイドを突出姿勢に付勢するものであることを特徴とする画像形成装置である。
【００１０】
本発明によれば、現像装置が、近接姿勢と離間姿勢との間で姿勢変更可能に設けられ、用紙ガイドが、現像装置と画像形成装置本体との間の衝突の衝撃を緩和するので、現像剤を画像形成装置の中に飛散させたりすることを防ぐことができる。すなわち、現像装置が離間姿勢になることにより、用紙ガイドが突出姿勢に変位して現像装置を弾性的に受け入れ可能な状態になる。また、現像装置が近接姿勢になることにより、用紙ガイドが後退位置に変位するので、用紙ガイドが、現像装置と画像形成装置本体との間の衝突の衝撃を効果的に緩和することができるようになる。しかも、上記構成によれば、ガイドピン受け孔がガイドピンを挿脱可能に支持し、付勢部材が、用紙ガイドを突出姿勢に付勢する状態で、用紙ガイドの一対の突出部が、現像装置の下端に接触して付勢部材の付勢力に抗して用紙ガイドを後退位置に変位させるので、一対の突出部の間にプリント用紙を案内するスペースを確保した状態で、用紙ガイドを突出位置と、後退位置との間で変位させることができる。
【００１５】
なお、上記ガイドピンは、先端に画像形成装置本体の上記ガイドピン受け孔に設けられた係止部に係合する一対の抜け止め突起と、これら一対の抜け止め突起の近傍にガイドピンの長手方向に沿って設けられた長孔とを備え、上記抜け止め突起は、ガイドピンの長孔が変形してガイドピンの先端が画像形成装置本体のガイドピン受け孔に挿脱可能になる縮径状態と、ガイドピン受け孔に設けられた係止部に係合可能になる拡径状態との間で外径変更可能に設けられていることが好ましい。
【００１６】
このようにすれば、ガイドピンの長孔が変形して縮径状態と、拡径状態との間で抜け止め突起の外径を変更するという簡単な構造で、容易にガイドピンの先端を画像形成装置本体のガイドピン受け孔に挿脱させることができ、また、抜け止め突起をガイドピン受け孔に設けられた係止部に係合させることができるので、安価で取り扱いの容易な用紙ガイド支持手段を実現することができる。
【００１７】
また、上記用紙ガイドは、導電性の材料で構成され、電気的に接地状態に保たれることにより、プリント用紙の案内にともなって発生する静電気をアースするものであることが好ましい。
【００１８】
このようにすれば、用紙ガイドが導電性の材料で構成され、電気的に接地状態に保たれることにより、プリント用紙の案内にともなって発生する静電気をアースするので、画像形成装置に静電気が溜まることによる画像不良や機器の破損などのトラブルを防ぐことができる。しかも、構造が簡単なので、アース接続に係る部品配置場所を確保する必要がなく、また、部品点数も少ないので製造に係るコストを増大させることもない。
【００１９】
また、上記現像装置は、搬送されるプリント用紙を案内する上側用紙ガイドを下端に備え、この上側用紙ガイドは、導電性の材料で構成され、現像装置が近接姿勢になった状態で上記用紙ガイドと電気的に接触することにより、上側用紙ガイドにおいてプリント用紙の案内にともなって発生する静電気を用紙ガイドを介してアースするものであることが好ましい。
【００２０】
このようにすれば、上側用紙ガイドが導電性の材料で構成され、用紙ガイドと電気的に接触することにより、上側用紙ガイドにおいてプリント用紙の案内にともなって発生する静電気を用紙ガイドを介してアースするので、画像形成装置に静電気が溜まることによる画像不良や機器の破損などのトラブルを防ぐことができる。
【００２１】
そして、上記用紙ガイドと、上側用紙ガイドとは導電性の樹脂で構成されていることが好ましい。
【００２２】
このようにすれば、用紙ガイドと上側用紙ガイドとが導電性の樹脂で構成されているので、静電気によるトラブルを防止することができる用紙ガイドと上側用紙ガイドとを安価に製造することができるようになる。
【発明の効果】
【００２３】
以上説明したように、本発明によれば、画像形成装置本体に設けられ、搬送されるプリント用紙を案内する用紙ガイドが、画像形成装置本体と、画像形成装置本体に対して近接姿勢と離間姿勢との間で姿勢変更可能に設けられた現像装置との間の衝突の衝撃を緩和するので、現像剤を画像形成装置の中に飛散させたりすることを防ぐことができるという顕著な効果を奏する。
【発明を実施するための最良の形態】
【００２４】
以下、添付図面を参照しながら本発明の好ましい実施の一形態について詳述する。図１は、本発明の実施の形態に係る画像形成装置１を横から見た断面図であり、図２は、画像形成装置１の主要部分を横から見た断面図である。また、図３は、画像形成装置１の用紙ガイド６の配置と上側用紙ガイド４ｅの配置とを示す斜視図である。また、図４は、画像形成装置１の用紙ガイド６の構成を示す斜視図であり、図５は、用紙ガイド６の構成を示す斜視図である。また、図６は、用紙ガイド支持手段１３の構成と用紙ガイド付勢手段１４の構成とを示す斜視図である。
【００２５】
図１を参照して、図示の本発明の実施の形態に係る画像形成装置１は、トナーを含む現像剤３が感光体２に供給されるように構成された画像形成装置１であって、感光体２と、感光体２に現像剤３を供給する現像装置４と、用紙ガイド６と、転写体７と、用紙カセット８と一対のレジストローラー１０とを備えている。
【００２６】
そして、この画像形成装置１においては、用紙カセット８から給紙された用紙９が、搬送経路を図２の矢印方向に搬送され、レジストローラー１０によってレジストされる。そして、その後、感光体２と転写体７の間を通過するときに感光体２上のトナー像が用紙９に転写されるように構成されている。
【００２７】
上記感光体２は、概ね水平な軸を中心に回転可能な円筒形状の部材であり、帯電することにより静電潜像を保持することができるように、ＯＰＣ感光体２やａ−Ｓｉ感光体２などから構成され、画像形成装置本体１ａ側に備えられている。
【００２８】
上記現像剤３は、トナーと磁性体キャリアとを含むいわゆる２成分現像剤３と呼ばれる現像剤である。本実施形態では、この磁性体キャリアとしては、フェライトキャリアが採用され、トナーの割合は、合計量に対してトナー２〜４０重量％程度となっている。
【００２９】
上記現像装置４は、現像剤３を攪拌し感光体２に供給することで感光体２の表面に像を形成するように構成された装置であって、現像剤３を収容可能に構成されたハウジング４ａと、磁気ローラ５とを備え、画像形成装置本体１ａに上方から近接する近接姿勢（図８）と、画像形成装置本体１ａから上方に離間して画像形成装置本体１ａをメンテナンス可能な状態にする離間姿勢（図７）との間で姿勢変更可能に設けられている。
【００３０】
ここで、この現像装置４のハウジング４ａは、感光体２と対向して設けられた現像剤３を保持可能な容器であり、このハウジング４ａは、図２に示すように、磁気ローラ５と隣接する位置に攪拌パドルを収容した第１の現像剤攪拌室４ｂと、この第１の現像剤攪拌室４ｂと隔壁４ｄによって仕切られ、攪拌ミキサーを収容した第２の現像剤攪拌室４ｃとを有し、これら第１の現像剤攪拌室４ｂと第２の現像剤攪拌室４ｃとは、磁気ローラ５の軸線方向における両端部で連通している。
【００３１】
このハウジング４ａは、また、搬送されるプリント用紙９を案内する上側用紙ガイド４ｅ（詳細は図３参照）を下端に備えており、この上側用紙ガイド４ｅは、導電性の樹脂で一体形成され、現像装置４のハウジング４ａが近接姿勢になった状態で用紙ガイド６と電気的に接触することにより、電気的に接地状態に保たれている。そして、プリント用紙９の案内にともなって発生する静電気を用紙ガイド６を介してアースするようになっている。
【００３２】
上記磁気ローラ５は、感光体２に隣接して設けられ、概ね水平なローラ軸を中心に回転可能な円筒形状の部材であり、ローラ軸を中心に回転することにより、磁気ローラ５の内部に静止するように配置された図略の吸引磁石が円筒外壁に引き付けた現像剤３を回転循環させながら攪拌パドルから感光体２へと現像剤３を供給する。
【００３３】
上記用紙ガイド６は、図４に示すように、レジストローラー１０と感光体２との間において、搬送されるプリント用紙９を案内するものであり、画像形成装置本体１ａに設けられ、プリント用紙９の底面を案内する案内部材１１と、プリント用紙９の側面を案内する一対の突出部１２とを備えている。
【００３４】
ここで、画像形成装置１は、また用紙ガイド６を変位可能に支持する用紙ガイド支持手段１３と、この用紙ガイド６を突出姿勢に付勢する用紙ガイド付勢手段１４とを備えており、用紙ガイド６は、近接姿勢の状態の現像装置４の下端に接触することにより、現像装置４と、画像形成装置本体１ａとの間の衝突の衝撃を緩和するように構成されている。
【００３５】
すなわち、用紙ガイド支持手段１３は、現像装置４の側に突出する突出位置と、現像装置４の側から後退する後退位置との間で用紙ガイド６を変位可能に支持するものである。図６に示すように、この用紙ガイド支持手段１３は、一対の突出部１２の間の案内部材１１の下方に設けられた棒状のガイドピン１５と、画像形成装置本体１ａ側に設けられ、このガイドピン１５を挿脱可能に支持するガイドピン受け孔１６とにより、用紙ガイド６を突出位置と、後退位置との間で変位可能に支持するものであり、上記用紙ガイド付勢手段１４は、案内部材１１の下方に設けられた付勢部材受け座１７と、画像形成装置本体１ａ側に設けられた付勢部材受け座１８との間に設けられた圧縮バネからなる付勢部材１９により、用紙ガイド６を突出姿勢に付勢するように構成されている。
【００３６】
そして、この用紙ガイド６は、現像装置４が画像形成装置本体１ａに近接する近接姿勢になることにより、一対の突出部１２が、現像装置４の下端に接触して用紙ガイド６を後退位置に変位させ、プリント用紙９を案内可能な状態になる。また、現像装置４が離間姿勢になることにより、現像装置４の下端から離れて突出姿勢に変位し、現像装置４を弾性的に受け入れ可能な状態になる。
【００３７】
なお、上記ガイドピン１５は、図６に示すように、先端に画像形成装置本体１ａのガイドピン受け孔１６に設けられた係止部１６ａに係合する一対の抜け止め突起１５ａと、これら一対の抜け止め突起１５ａの近傍にガイドピン１５の長手方向に沿って設けられた長孔１５ｂとを備えている。
【００３８】
そして、抜け止め突起１５ａは、ガイドピン１５の長孔１５ｂが変形してガイドピン１５の先端が画像形成装置本体１ａのガイドピン受け孔１６に挿脱可能になる縮径状態と、ガイドピン受け孔１６に設けられた係止部１６ａに係合可能になる拡径状態との間で外径変更可能に設けられている。
【００３９】
また、この用紙ガイド６は、導電性の樹脂で一体形成され、電気的に接地状態に保たれることにより、プリント用紙９の案内にともなって発生する静電気をアースするようになっている。
【００４０】
次に、図６〜図８を参照して、本発明の実施の形態に係る画像形成装置１の作用について説明する。
【００４１】
図７と図８とは、画像形成装置１の用紙ガイド６の動作を示す説明図であり、図７は、現像装置４が画像形成装置本体１ａから上方に離間した離間姿勢の状態を、また、図８は、現像装置４が画像形成装置本体１ａに近接する近接姿勢それぞれ示している。
【００４２】
まず、用紙ガイド６の画像形成装置本体１ａへの装着は以下の通りである。すなわち、現像装置４が、画像形成装置本体１ａから上方に離間して画像形成装置本体１ａをメンテナンス可能な状態にする離間姿勢（図７）において、図６に示すように、ガイドピン受け孔１６が、ガイドピン１５を挿脱可能に支持して、用紙ガイド６を突出位置と、後退位置との間で変位可能に支持する。
【００４３】
そして、用紙ガイド付勢手段１４として付勢部材１９が、用紙ガイド６を突出姿勢に付勢し、現像装置４を弾性的に受け入れ可能な状態になる。
【００４４】
この時、抜け止め突起１５ａは、ガイドピン１５の長孔１５ｂが変形して外径変更して縮径状態となることにより、ガイドピン１５の先端が画像形成装置本体１ａのガイドピン受け孔１６に挿脱可能になる。そして、もとどおりに拡径状態になることにより、ガイドピン１５の一対の抜け止め突起１５ａが、ガイドピン受け孔１６に設けられた係止部１６ａに係合する。
【００４５】
次に、現像装置４が、画像形成装置本体１ａに上方から近接する近接姿勢（図８）に姿勢変更すると、用紙ガイド６は、現像装置４の下端に接触して後退位置に変位し、プリント用紙９を案内可能な状態になる。このように用紙ガイド６の近接姿勢の状態の現像装置４の下端に接触することにより、現像装置４と画像形成装置本体１ａとの間の衝突の衝撃が緩和される。
【００４６】
そして、用紙ガイド６が、レジストローラー１０と感光体２との間において、画像形成装置本体１ａ側で搬送されるプリント用紙９を案内するが、この時、案内部材１１が、プリント用紙９の底面を案内し、一対の突出部１２がプリント用紙９の側面を案内する。また、用紙ガイド６が電気的に接地状態に保たれるので、プリント用紙９の案内にともなって発生する静電気がアースされる。
【００４７】
また、上側用紙ガイド４ｅが、搬送されるプリント用紙９を案内するが、現像装置４が近接姿勢になった状態で用紙ガイド６と電気的に接触するので、プリント用紙９の案内にともなって発生する静電気がさらにこの上側用紙ガイド４ｅと用紙ガイド６とを介してアースされる。
【００４８】
以上説明したように、本発明の実施の形態に係る画像形成装置１によれば、現像装置４が、近接姿勢と、離間姿勢との間で姿勢変更可能に設けられ、用紙ガイド６が、現像装置４と、画像形成装置本体１ａとの間の衝突の衝撃を緩和するので、現像剤３を画像形成装置１の中に飛散させたりすることを防ぐことができる。
【００４９】
次に、現像装置４が離間姿勢になることにより、用紙ガイド６が突出姿勢に変位して現像装置４を弾性的に受け入れ可能な状態になる。また、現像装置４が近接姿勢になることにより、用紙ガイド６が後退位置に変位するので、用紙ガイド６が、現像装置４と、画像形成装置本体１ａとの間の衝突の衝撃を効果的に緩和することができるようになる。
【００５０】
また、ガイドピン受け孔１６がガイドピン１５を挿脱可能に支持し、付勢部材１９が、用紙ガイド６を突出姿勢に付勢する状態で、用紙ガイド６の一対の突出部１２が、現像装置４の下端に接触して付勢部材１９の付勢力に抗して用紙ガイド６を後退位置に変位させるので、一対の突出部１２の間にプリント用紙９を案内するスペースを確保した状態で、用紙ガイド６を突出位置と、後退位置との間で変位させることができる。
【００５１】
また、ガイドピン１５の長孔１５ｂが変形して縮径状態と、拡径状態との間で抜け止め突起１５ａの外径を変更するという簡単な構造で、容易にガイドピン１５の先端を画像形成装置本体１ａのガイドピン受け孔１６に挿脱させることができ、また、抜け止め突起１５ａをガイドピン受け孔１６に設けられた係止部１６ａに係合させることができるので、安価で取り扱いの容易な用紙ガイド支持手段１３を実現することができる。
【００５２】
そして、用紙ガイド６が導電性の材料で構成され、電気的に接地状態に保たれることにより、プリント用紙９の案内にともなって発生する静電気をアースするので、画像形成装置１に静電気が溜まることによる画像不良や機器の破損などのトラブルを防ぐことができる。
【００５３】
さらに、上側用紙ガイド４ｅが導電性の材料で構成され、用紙ガイド６と電気的に接触することにより、上側用紙ガイド４ｅにおいてプリント用紙９の案内にともなって発生する静電気を用紙ガイド６を介してアースするので、画像形成装置１に静電気が溜まることによる画像不良や機器の破損などのトラブルを防ぐことができる。しかも、構造が簡単なので、アース接続に係る部品配置場所を確保する必要がなく、また、部品点数も少ないので製造に係るコストを増大させることもない。
【００５４】
そして、用紙ガイド６と上側用紙ガイド４ｅとが導電性の樹脂で構成されているので、静電気によるトラブルを防止することができる用紙ガイド６と上側用紙ガイド４ｅとを安価に製造することができるようになる。
【００５５】
上述した実施の形態は本発明の好ましい具体例を例示したものに過ぎず、本発明は上述した実施の形態に限定されない。
【００５６】
例えば、本発明の実施の形態に係る画像形成装置１は、図１のような構成には限定されない。また、現像剤３もフェライトキャリアを採用したものに限定されない。トナーを含む現像剤３が感光体２に供給されるように構成された画像形成装置１であれば、種々の画像形成装置１に適用が可能である。
【００５７】
また、現像装置４も、必ずしも磁気ローラ５から感光体２に直接現像剤３が供給される方式のものに限定されない。磁気ローラ５と感光体２との間に現像ローラを介して現像剤３を供給する方式のものなど、種々の構成の現像装置４に適用可能である。
【００５８】
また、現像装置４の上側用紙ガイド４ｅも必ずしも必須でなく、画像形成装置本体１ａ側の用紙ガイド６のみでもよい。
【００５９】
また、用紙ガイド６も必ずしも図示のような形状に限定されず、用紙ガイド支持手段１３と、この用紙ガイド６を突出姿勢に付勢する用紙ガイド付勢手段１４とを備え、近接姿勢の状態の現像装置４の下端に接触することにより、現像装置４と、画像形成装置本体１ａとの間の衝突の衝撃を緩和するように構成されているものであれば、種々の設計変更が可能である。
【００６０】
また、上側用紙ガイド４ｅ、用紙ガイド６の材質も導電性の樹脂に限らず、ステンレスその他の金属で製作したものでもよいなど種々の導電性材料が採用可能である。
【００６１】
また、なおここでは用紙ガイド付勢手段１４として圧縮ばねによる例を示したが、オイルダンパなど、付勢力とダンパ作用とを併せ持つ手段でも採用可能である。
【００６２】
その他、本発明の特許請求の範囲内で種々の設計変更が可能であることはいうまでもない。
【図面の簡単な説明】
【００６３】
【図１】本発明の実施の形態に係る画像形成装置を横から見た断面図である。
【図２】画像形成装置の主要部分を横から見た断面図である。
【図３】画像形成装置の用紙ガイドの配置と上側用紙ガイドの配置とを示す斜視図である。
【図４】画像形成装置の用紙ガイドの構成を示す斜視図である。
【図５】用紙ガイドの構成を示す斜視図である。
【図６】用紙ガイド支持手段の構成と用紙ガイド付勢手段の構成とを示す斜視図である。
【図７】画像形成装置の用紙ガイドの動作を示す説明図であり、現像装置が画像形成装置本体から上方に離間した離間姿勢の状態を示している。
【図８】画像形成装置の用紙ガイドの動作を示す説明図であり、現像装置が画像形成装置本体に近接する近接姿勢示している。
【符号の説明】
【００６４】
１    画像形成装置
１ａ  画像形成装置本体
２    感光体
３    現像剤
４    現像装置
４ｅ    上側用紙ガイド
６    用紙ガイド
９    プリント用紙
１１  案内部材
１２  突出部
１３  用紙ガイド支持手段
１４  用紙ガイド付勢手段
１５  ガイドピン
１５ａ  抜け止め突起
１５ｂ  長孔
１６  ガイドピン受け孔
１６ａ  係止部
１７、１８  付勢部材受け座
１９  付勢部材
【図１】
0004800040.tif 000002
【図２】
0004800040.tif 000003
【図３】
0004800040.tif 000004
【図４】
0004800040.tif 000005
【図５】
0004800040.tif 000006
【図６】
0004800040.tif 000007
【図７】
0004800040.tif 000008
【図８】
0004800040.tif 000009